(57)【要約】【課題】保護シートの有無や種類などに影響されることなく、最適なタッチパネル感度を容易に設定する。【解決手段】携帯端末装置は、表示画面を有する表示部３０と、表示画面上に保護シートが貼付された場合に該保護シートに覆われるタッチパネル部分と、保護シートに覆われず露出するタッチパネル部分とを有するタッチパネル３１と、保護シートに覆われるタッチパネル部分と、保護シートに覆われず露出するタッチパネル部分とがタッチ操作された際の検出信号のレベル差に基づいて、タッチパネル３１の検知感度を設定する制御手段３２とを備えている。【選択図】図９
2013175109.tif 000002
【特許請求の範囲】
【請求項１】
表示画面を有する表示部と、
前記表示画面上に保護シートが貼付された場合に前記保護シートに覆われる第１の領域と、前記保護シートに覆われず露出する第２の領域とを有するタッチパネルと、
前記第１の領域と前記第２の領域とがタッチ操作された際の検出信号のレベル差に基づいて、前記タッチパネルの検知感度を設定する制御手段と
を備えることを特徴とする携帯端末装置。
【請求項２】
前記制御手段は、
前記検出信号のレベル差が所定の閾値より小さい場合には、前記タッチパネルの検知感度を規定の感度に設定し、
前記検出信号のレベル差が所定の閾値以上である場合には、前記タッチパネルの検知感度を前記検出信号のレベル差に応じた感度に設定する
ことを特徴とする請求項１に記載の携帯端末装置。
【請求項３】
前記制御手段は、
前記第１の領域での検出信号のレベルが、前記第２の領域での検出信号のレベルよりも小さい場合には、前記検出信号のレベル差分に応じて、前記タッチパネルの検知感度を上げ、
前記第１の領域での検出信号のレベルが、前記第２の領域での検出信号のレベルよりも大きい場合には、前記検出信号のレベル差分に応じて、前記タッチパネルの検知感度を下げる
ことを特徴とする請求項１または２に記載の携帯端末装置。
【請求項４】
前記タッチパネルは、
前記表示部の表示画面外に延長して配設され、前記第２の領域となる拡張エリアを有する
ことを特徴とする請求項１から３のいずれかに記載の携帯端末装置。
【請求項５】
前記第２の領域は、前記保護シートが貼付された場合に前記保護シートの一部に形成された切り欠け部が位置する、前記タッチパネル上の領域である
ことを特徴とする請求項１から３のいずれかに記載の携帯端末装置。
【請求項６】
前記第１の領域と前記第２の領域とは、
一度の連続したタッチ操作で操作される
ことを特徴とする請求項１から５のいずれかに記載の携帯端末装置。
【請求項７】
タッチパネルが設けられた表示画面上に保護シートが貼付された場合に前記保護シートに覆われる、前記タッチパネルの第１の領域にタッチ操作された際の検出信号を取得するステップと、
前記保護シートが貼付された場合に前記保護シートに覆われず露出する、前記タッチパネルの第２の領域にタッチ操作された際の検出信号を取得するステップと、
双方の検出信号のレベル差に基づいて、前記タッチパネルの検知感度を設定するステップと
を含むことを特徴とするタッチパネル感度設定方法。
【請求項８】
携帯端末装置のコンピュータに、
タッチパネルが設けられた表示画面上に保護シートが貼付された場合に前記保護シートに覆われる、前記タッチパネルの第１の領域にタッチ操作された際の検出信号を取得する第１の検出信号取得機能、
前記保護シートが貼付された場合に前記保護シートに覆われず露出する、前記タッチパネルの第２の領域にタッチ操作された際の検出信号を取得する第２の検出信号取得機能、
前記第１の検出信号取得機能により取得した検出信号と前記第２の検出信号取得機能により取得した検出信号とのレベル差に基づいて、前記タッチパネルの検知感度を設定する制御機能
を実行させることを特徴とするプログラム。
【発明の詳細な説明】
【技術分野】
【０００１】
本発明は、携帯端末装置、タッチパネル感度設定方法、及びプログラムに関する。
【背景技術】
【０００２】
近年、キーボードによる入力に代わって、より人間の直感的な操作を可能とするタッチパネル機能が搭載された携帯端末が急激に増えてきている。しかしながら、人間の直感に訴える操作であるがゆえに、どの程度のタッチで反応するかを決めるタッチパネルの感度は、操作性の上で非常に重要な要素となっている。一方、液晶画面がむき出しのため、キズ防止を目的として、保護シートを貼るユーザが増えてきている。
【０００３】
図８は、タッチパネル機能付き携帯端末の外観を示す外観図である。タッチパネル機能付き携帯端末装置１では、タッチパネル２が施された表示部３の画面エリアに、画面のキズ防止等を目的に保護シート４が貼付されている。
【０００４】
このように、保護シート４を貼付している場合、保護シート４を貼付しない場合と比較し、タッチパネル２に発生する静電容量が変化する。このため、保護シート４がないときには、快適に操作できていたとしても、保護シート４がある場合には、保護シート４を貼付しないときと同様にタッチパネル２を操作しても、タッチパネル２が反応しにくいなど、使い勝手が微妙に変化して、使いづらいものになる。タッチパネル２の感度や操作性においては、様々な改善方法が提案されている。
【０００５】
例えば、特許文献１には、タッチパネルの側縁部に対するタッチ操作を検知することにより、操作手段を別途設けることなく、装置の側面での操作を可能とする技術が提案されている。
【０００６】
また、特許文献２には、タッチパネルのパネル面上に位置して汚れの付着を防止する透明な保護シートを移動させてパネル面上に新たな保護シート面を位置させるとともに、該保護シートの表面を清掃することで、常に、保護シート面を清潔にしておく技術が提案されている。
【０００７】
また、特許文献３には、薄い板状に構成されたプラスチックで構成された保護パネルにより、携帯電話機の液晶ディスプレイや有機ＥＬディスプレイの表地面を保護する技術が提案されている。
【０００８】
また、特許文献４には、素手で接触したときのタッチセンサの抵抗値に基づき、素手であるか手袋装着状態であるかを判断する基準値を設定しておき、タッチセンサの抵抗値が基準値より高い場合には、手袋を装着していると判断し、素手の場合に比べ、タッチパネルの感度を向上させる技術が提案されている。
【０００９】
また、特許文献５には、複数のタッチパネルによって、指等を直接タッチパネルに接触させて行う接触操作と、接触させないで行う空間操作という２つの操作方法を実現する技術が提案されている。
【先行技術文献】
【特許文献】
【００１０】
【特許文献１】特開２０１１−１７５３３５号公報
【特許文献２】特開平１０−０３１４３１号公報
【特許文献３】再特ＷＯ２００８／０８１７１０号公報
【特許文献４】特開２００８−０３３７０１号公報
【特許文献５】特開２０１１−０２２９６１号公報
【発明の概要】
【発明が解決しようとする課題】
【００１１】
しかしながら、上述した特許文献１〜５では、保護シート４の有無に応じて、タッチパネル２の感度を調整する技術については何ら開示されておらず、その厚さや材質により、電気的特性が異なる様々な種類の保護シート４に対応させてタッチパネル２の感度調整を行うことは困難であるという問題があった。
【００１２】
そこで本発明は、保護シートの有無や種類などに影響されることなく、最適なタッチパネル感度を容易に設定することができる携帯端末装置、タッチパネル感度設定方法、及びプログラムを提供することを目的とする。
【課題を解決するための手段】
【００１３】
本発明の携帯端末装置は、表示画面を有する表示部と、前記表示画面上に保護シートが貼付された場合に前記保護シートに覆われる第１の領域と、前記保護シートに覆われず露出する第２の領域とを有するタッチパネルと、前記第１の領域と前記第２の領域とがタッチ操作された際の検出信号のレベル差に基づいて、前記タッチパネルの検知感度を設定する制御手段とを備えることを特徴とする携帯端末装置である。
【００１４】
本発明のタッチパネル感度設定方法は、タッチパネルが設けられた表示画面上に保護シートが貼付された場合に前記保護シートに覆われる、前記タッチパネルの第１の領域にタッチ操作された際の検出信号を取得するステップと、前記保護シートが貼付された場合に前記保護シートに覆われず露出する、前記タッチパネルの第２の領域にタッチ操作された際の検出信号を取得するステップと、双方の検出信号のレベル差に基づいて、前記タッチパネルの検知感度を設定するステップとを含むことを特徴とするタッチパネル感度設定方法である。
【００１５】
本発明のプログラムは、携帯端末装置のコンピュータに、タッチパネルが設けられた表示画面上に保護シートが貼付された場合に前記保護シートに覆われる、前記タッチパネルの第１の領域にタッチ操作された際の検出信号を取得する第１の検出信号取得機能、前記保護シートが貼付された場合に前記保護シートに覆われず露出する、前記タッチパネルの第２の領域にタッチ操作された際の検出信号を取得する第２の検出信号取得機能、前記第１の検出信号取得機能により取得した検出信号と前記第２の検出信号取得機能により取得した検出信号とのレベル差に基づいて、前記タッチパネルの検知感度を設定する制御機能を実行させることを特徴とするプログラムである。
【発明の効果】
【００１６】
この発明によれば、保護シートの有無や種類などに影響されることなく、最適なタッチパネル感度を容易に設定することができる。
【図面の簡単な説明】
【００１７】
【図１】本発明の実施形態による携帯電話などの携帯端末装置１１の外観を示す外観図、および略断面図である。
【図２】本第１実施形態による携帯端末装置１１の構成を示すブロック図である。
【図３】本第１実施形態による携帯端末装置１１でのタッチパネル感度設定動作を説明するためのフローチャートである。
【図４】本第１実施形態による携帯端末装置１１でのタッチパネル感度設定動作時の様子を示す模式図である。
【図５】本第２実施形態による携帯端末装置１１でのタッチパネル感度設定動作時の様子を示す模式図である。
【図６】本第３実施形態による携帯端末装置の外観を示す外観図である。
【図７】本第３実施形態による携帯端末装置１１でのタッチパネル感度設定動作時の様子を示す模式図である。
【図８】タッチパネル機能付き携帯端末の外観を示す外観図である。
【図９】付記１の構成を示すブロック図である。
【発明を実施するための形態】
【００１８】
以下、本発明の実施の形態を、図面を参照して説明する。
【００１９】
Ａ．第１実施形態
まず、本発明の第１実施形態について説明する。
図１（ａ）、（ｂ）は、本発明の実施形態による携帯電話などの携帯端末装置１１の外観を示す外観図、および略断面図である。図において、タッチパネル機能付きの携帯端末装置１１は、表示部１３と、該表示部１３上に配設されたタッチパネル１２とを備えている。保護シート１４は、表示部１３の画面エリアを覆うように、タッチパネル１２上に貼付されている。本第１実施形態では、タッチパネル１２は、表示部１３の画面エリア外へ延長して配設されている。タッチパネル１２の画面エリア内の領域を、画面内エリア１２ａとし、画面エリア外へ延長している領域を拡張エリア１２ｂとする。図示のように、保護シート１４が貼付された場合、画面内エリア１２ａは、保護シート１４に覆われるが、拡張エリア１２ｂは、保護シート１４に覆われず露出することになる。
【００２０】
一般的に、市販の保護シート１４は、表示部１３のサイズで貼付するようになっている（携帯端末装置１１の機種毎に予めサイズが決まっている）。このため、表示部１３上の画面エリアに上記保護シート１４を貼付すると、必然的に、拡張エリア１２ｂ上には、保護シート１４は貼付されず、露出することになる。あるいは、ユーザが保護シート１４のサイズを自由に決める場合であっても、ユーザは、保護シート１４を表示部１３のサイズに合わせるため、やはり拡張エリア１２ａ上には、保護シート１４は貼付されず、露出することになる。
【００２１】
図２は、本第１実施形態による携帯端末装置１１の構成を示すブロック図である。なお、図２には、本発明に係る構成要素のみを示している。また、図１に対応する部分には同一の符号を付けている。表示装置２０は、タッチパネル１２と表示部１３とからなる。タッチパネル１２は、表示部１３上に設けられている。該タッチパネル１２は、静電容量の変化によってユーザによるタッチ操作を検知し、タッチ操作に応じた検出信号を出力する。但し、静電容量方式に限らず、抵抗膜方式、表面弾性波方式などであってもよい。
【００２２】
ＣＰＵ２１は、ＲＭ２２に記憶されているプログラムを実行することにより、当該携帯端末装置１１の各部の動作を制御する。ＲＯＭ２２は、上記プログラムや、様々な動作で用いられる各種パラメータ（デフォルト値）などを記憶している。ＲＡＭ２３は、上記ＣＰＵ２１が動作する際の各種データの一時保存領域としてのワーキングエリアなどに用いられる。
【００２３】
本第１実施形態では、ＣＰＵ２１は、タッチパネル１２の画面内エリア１２ａと拡張エリア１２ｂとの静電容量の差に基づいて、タッチパネル１２の感度を調整（設定）するようになっている。これにより、保護シート１４の有無や種類などに影響されることなく、タッチパネル１２の感度を容易に設定することができる。
【００２４】
図３は、本第１実施形態による携帯端末装置１１でのタッチパネル感度設定動作を説明するためのフローチャートである。また、図４は、本第１実施形態による携帯端末装置１１でのタッチパネル感度設定動作時の様子を示す模式図である。
【００２５】
まず、ＣＰＵ２１は、保護シート１４がある画面内エリア１２ａを指でなぞるよう促すメッセージを表示部１３に表示する（ステップＳ１０）。このとき、表示部１３には、メッセージに加えて、指でなぞる場所が分かるような矢印などを表示するようにしてもよい。
【００２６】
ＣＰＵ２１は、保護シート１４がある画面内エリア１２ａが指でなぞられたか否かを判定し（ステップＳ１２）、指でなぞられていない場合には（ステップＳ１２のＮＯ）、ステップＳ１２を繰り返し、指でなぞられるのを待つ。
【００２７】
一方、図４に示すように、ユーザにより保護シート１４がある画面内エリア１２ａが指でなぞられた場合には（ステップＳ１２のＹＥＳ）、ＣＰＵ２１は、通常のタッチパネル１２の静電容量検出機能を利用して、画面内エリア１２ａでの静電容量Ｃ１を検出し、ＲＡＭ２３に保存する（ステップＳ１４）。
【００２８】
次に、ＣＰＵ２１は、保護シート１４なし部分、すなわち画面エリア外となる拡張エリア１２ｂを、指でなぞるよう促すメッセージを表示部１３に表示する（ステップＳ１６）。このとき、表示部１３には、メッセージに加えて、指でなぞる部分が分かるような矢印などを表示するようにしてもよい。
【００２９】
ＣＰＵ２１は、保護シート１４なし部分、すなわち拡張エリア１２ｂが指でなぞられたか否かを判定し（ステップＳ１８）、指でなぞられていない場合には（ステップＳ１８のＮＯ）、ステップＳ１８を繰り返し、指でなぞられるのを待つ。
【００３０】
一方、図４に示すように、ユーザにより保護シート１４がない拡張エリア１２ａが指でなぞられた場合には（ステップＳ１８のＹＥＳ）、ＣＰＵ２１は、通常のタッチパネルの静電容量検出機能を利用して、拡張エリア１２ａでの静電容量Ｃ２を検出し、ＲＡＭ２３に保存する（ステップＳ２０）。
【００３１】
次に、ＣＰＵ２１は、静電容量Ｃ１と静電容量Ｃ２とを比較し、双方の差分が所定の閾値以上であるか否かを判定する（ステップＳ２２）。そして、双方の差分が所定の閾値より小さい場合には（ステップＳ２２のＮＯ）、保護シート１４が貼られていないか、もしくは、保護シート１４が貼られていても、ほとんど影響がないと判定し（ステップＳ２４）、保護シート１４が貼られていないときの規定のタッチパネル感度を最適値として設定する（ステップＳ２６）。その後、当該処理を終了する。
【００３２】
一方、双方の差分が所定の閾値以上である場合には（ステップＳ２２のＹＥＳ）、保護シート１４が貼られていると判定し（ステップＳ２８）、保護シート１４が貼られていないときの規定のタッチパネル感度に対して、静電容量Ｃ１、Ｃ２の差分に応じたタッチパネル感度を設定する（ステップＳ３０）。その後、当該処理を終了する。
【００３３】
より具体的には、静電容量Ｃ１が、保護シート１４の貼付の影響により、静電容量Ｃ２よりも小さくなったときは、その静電容量の差分（Ｃ２−Ｃ１）に応じてタッチパネル感度を上げることで、指で触ったときの静電容量変化が小さくても、タッチパネル１２が反応できるようにする。逆に、静電容量Ｃ１が、保護シート１４の貼付の影響により、静電容量Ｃ２よりも大きくなったときは、その静電容量の差分（Ｃ１−Ｃ２）に応じてタッチパネル感度を下げることで、指で触ったときの静電容量変化が大きくても、タッチパネル１２が過剰に反応しないようにする。
【００３４】
なお、タッチパネル１２は、一般的にタッチする場所によって検出される静電容量の絶対値が均一でない。本第１実施形態では、このようなタッチパネル１２自体が持つ場所による静電容量の不均一な特性については、予め補正されていることを前提としている。
【００３５】
また、画面エリア外の拡張エリア１２ｂについては、画面エリア外のため通常のタッチパネル１２と異なり、画面の位置座標の検出は行わず、ユーザが指で触ったときの静電容量の検出のみを行う。
【００３６】
上述した第１実施形態によれば、タッチパネル１２に拡張エリア１２ｂを設け、タッチパネルエリア１２の画面内エリア１２ａと拡張エリア１２ｂとの双方の静電容量の差分に基づいて保護シート１４の有無を判定する点や、双方の静電容量の差分に基づいてタッチパネル１２の感度を調整（設定）するようにしたので、保護シート１４の有無や種類などに影響されることなく、最適なタッチパネル感度を容易に設定することができる。
【００３７】
Ｂ．第２実施形態
次に、本発明の第２実施形態について説明する。
図５は、本第２実施形態による携帯端末装置１１でのタッチパネル感度設定動作時の様子を示す模式図である。上述した第１実施形態では、ユーザは、タッチパネル１４の画面内エリア１２ａと、タッチパネル１４の画面エリア外の拡張エリア１２ｂとを２回に分けて指でなぞるようにした。
【００３８】
これに対して、第２実施形態では、図５に示すように、タッチパネル１４の画面内エリア１２ａと、タッチパネル１４の拡張エリア１２ｂとを一度にまとめて指でなぞるようにしている。
【００３９】
本第２実施形態では、タッチパネル１４の画面内エリア１２ａと、タッチパネル１４の画面エリア外の拡張エリア１２ｂとを一度になぞるだけというところが、第１実施形態と異なるだけで、タッチパネル１２に拡張エリア１２ｂを設け、タッチパネルエリア１２の画面内エリア１２ａと拡張エリア１２ｂとの双方の静電容量の差分に基づいて保護シート１４の有無を判定する点や、双方の静電容量の差分に基づいてタッチパネル１２の感度を調整（設定）するという点では、基本的な動作は前述の第１実施形態と同じである。保護シート１４の有無を静電容量の差分に基づいて
【００４０】
上述した第２実施形態によれば、保護シート１４の有無や種類などに影響されることなく、最適なタッチパネル感度を容易に設定することができるとともに、一箇所を指でなぞるだけで済むため、より簡単にタッチパネル１４の感度補正を行うことができる。
【００４１】
Ｃ．第３実施形態
次に、本発明の第３実施形態について説明する。
図６は、本第３実施形態による携帯端末装置の外観を示す外観図である。本第３実施形態では、図６に示すように、保護シート１４自体に欠け部分１４ａを設けることで、保護シート１４が貼付された場合に、タッチパネル１２に保護シートに覆われる保護シートあり領域（斜線部分）１２ｃと保護シートに覆われず露出する保護シートなし領域１２ｄとが形成されるようにしている。第１、第２実施形態と異なる点は、上記保護シートあり領域１２ｃ、保護シートなし領域１２ｄのいずれも表示部１３の画面内であるという点である。
【００４２】
図７は、本第３実施形態による携帯端末装置１１でのタッチパネル感度設定動作時の様子を示す模式図である。具体的な動作としては、図７に示すように、ユーザが指でタッチパネル１２をなぞることで、保護シートあり領域１２ｃと保護シートなし領域１２ｄでの静電容量を検出することが可能である。本第３実施形態についても、保護シートあり領域１２ｃと保護シートなし領域１２ｄでの静電容量の差分に基づいて保護シート１４の有無を判定する点や、静電容量の差分に基づいてタッチパネル１２の感度を調整（設定）するという点では、基本的な動作は前述した第１、第２実施形態と同じである。
【００４３】
上述した第３実施形態よれば、保護シート１４の有無や種類などに影響されることなく、最適なタッチパネル感度を容易に設定することができるとともに、一箇所を指でなぞるだけで済むため、より簡単にタッチパネル１４の感度補正を行うことができる。
【００４４】
また、本実施形態は、携帯端末装置として携帯電話（スマートフォン）に適用した例であるが、本発明はこれに限定されるものではなく、タッチパネルを有する電子機器であれば、例えば、ゲーム機、タブレットＰＣ（Personal Computer）、ノートＰＣ、音楽再生プレーヤ、電子書籍閲覧端末、デジタルカメラ、ＰＤＡなどの携帯情報端末、パーソナルコンピュータ、その他の電子機器等にも幅広く適用できる。
【００４５】
以下、本発明の特徴を付記する。
上記の実施形態の一部又は全部は、以下の付記のようにも記載されうるが、以下には限られない。
（付記１）
図９は、付記１の構成図である。なお、図９の表示部３０は、図２の表示部１３に相当し、タッチパネル３１は、タッチパネル１２に相当し、制御手段３２は、図２のＣＰＵ２１に相当する。また、図９の第１の領域３１ａは、画面内エリア１２ａ、保護シートあり領域１２ｃに相当し、第２の領域３１ｂは、拡張エリア１２ｂ、保護シートなし領域１２ｄに相当する。
【００４６】
この図９に示すように、付記１記載の発明は、
表示画面を有する表示部３０と、
前記表示画面上に保護シートが貼付された場合に前記保護シートに覆われる第１の領域３１ａと、前記保護シートに覆われず露出する第２の領域３１ｂとを有するタッチパネル３１と、
前記第１の領域３１ａと前記第２の領域３１ｂとがタッチ操作された際の検出信号のレベル差に基づいて、前記タッチパネル３１の検知感度を設定する制御手段３２と
を備えることを特徴とする携帯端末装置である。
【００４７】
（付記２）
前記制御手段は、前記検出信号のレベル差が所定の閾値より小さい場合には、前記タッチパネルの検知感度を規定の感度に設定し、前記検出信号のレベル差が所定の閾値以上である場合には、前記タッチパネルの検知感度を前記検出信号のレベル差に応じた感度に設定することを特徴とする付記１に記載の携帯端末装置である。
【００４８】
（付記３）
前記制御手段は、前記制御手段は、
前記第１の領域での検出信号のレベルが、前記第２の領域での検出信号のレベルよりも小さい場合には、前記検出信号のレベル差分に応じて、前記タッチパネルの検知感度を上げ、前記第１の領域での検出信号のレベルが、前記第２の領域での検出信号のレベルよりも大きい場合には、前記検出信号のレベル差分に応じて、前記タッチパネルの検知感度を下げることを特徴とする付記１または２に記載の携帯端末装置である。
【００４９】
（付記４）
前記タッチパネルは、前記表示部の表示画面外に延長して配設され、前記第２の領域となる拡張エリアを有することを特徴とする付記１から３のいずれかに記載の携帯端末装置である。
【００５０】
（付記５）
前記第２の領域は、前記保護シートが貼付された場合に前記保護シートの一部に形成された切り欠け部が位置する、前記タッチパネル上の領域であることを特徴とする付記１から３のいずれかに記載の携帯端末装置である。
【００５１】
（付記６）
前記第１の領域と前記第２の領域とは、一度の連続したタッチ操作で操作されることを特徴とする付記１から５のいずれかに記載の携帯端末装置である。
【００５２】
（付記７）
タッチパネルが設けられた表示画面上に保護シートが貼付された場合に前記保護シートに覆われる、前記タッチパネルの第１の領域にタッチ操作された際の検出信号を取得するステップと、前記保護シートが貼付された場合に前記保護シートに覆われず露出する、前記タッチパネルの第２の領域にタッチ操作された際の検出信号を取得するステップと、双方の検出信号のレベル差に基づいて、前記タッチパネルの検知感度を設定するステップとを含むことを特徴とするタッチパネル感度設定方法である。
【００５３】
（付記８）
携帯端末装置のコンピュータに、タッチパネルが設けられた表示画面上に保護シートが貼付された場合に前記保護シートに覆われる、前記タッチパネルの第１の領域にタッチ操作された際の検出信号を取得する第１の検出信号取得機能、前記保護シートが貼付された場合に前記保護シートに覆われず露出する、前記タッチパネルの第２の領域にタッチ操作された際の検出信号を取得する第２の検出信号取得機能、前記第１の検出信号取得機能により取得した検出信号と前記第２の検出信号取得機能により取得した検出信号とのレベル差に基づいて、前記タッチパネルの検知感度を設定する制御機能を実行させることを特徴とするプログラムである。
【符号の説明】
【００５４】
１１  携帯端末装置
１２、３１  タッチパネル
１２ａ  画面内エリア
１２ｂ  拡張エリア
１２ｃ  保護シートあり領域
１２ｄ  保護シートなし領域
１３、３０  表示部
１４  保護シート
１４ａ  欠け部分
２０  表示装置
２１  ＣＰＵ
２２  ＲＯＭ
２３  ＲＡＭ
３１ａ  第１の領域
３１ｂ  第２の領域
３２  制御手段
【図１】
2013175109.tif 000003
【図２】
2013175109.tif 000004
【図３】
2013175109.tif 000005
【図４】
2013175109.tif 000006
【図５】
2013175109.tif 000007
【図６】
2013175109.tif 000008
【図７】
2013175109.tif 000009
【図８】
2013175109.tif 000010
【図９】
2013175109.tif 000011